(57)【要約】      （修正有）【課題】欄干柵及び防護柵として鉄橋、又は通路の両側に取付けられる構造が簡単軽量であって、加工業の費用を減少することを目的とした欄干兼用防護柵を提供する。【解決手段】防護柵本体１は、垂直の支柱２と、ガードレール３及び下部の埋込板５とより構成される。支柱２の下端には、複数の螺子孔を設けた接続部４を設け、コンクリート土台１６に埋設する埋込板５に設けた複数の螺子孔とを螺合接続する。埋込板５の下部の埋込部７に単数の埋込脚部を形成する。また、埋込脚部を相対して複数形成し、且つ、埋込脚部には、外周に凹弧部を各々形成した。【選択図】図１
0003186305.tif 000002
【実用新案登録請求の範囲】
【請求項１】
防護柵本体（１）は、垂直の支柱（２）と、ガードレール（３）及び下部の埋込板（５）とより構成され、該支柱（２）の下端には、複数の螺子孔（１０）（１０）を設けた接続部（４）を形成し、該接続部（４）と接続するコンクリート土台（１６）に所定間隔に埋設する埋込板（５）を設け、該埋込板（５）に設けた複数の螺子孔（１１）（１１）と該接続部（４）に設けた該螺子孔（１０）（１０）とを螺合接続したことを特徴とする欄干兼用防護柵。
【請求項２】
埋込板（５）の下部の埋込部（７）には、複数の離脱防止用の貫通孔（１２）（１２）を設けた埋込脚部（８）を設けた請求項１記載の欄干兼用防護柵。
【請求項３】
埋込板（５）の埋込部（７）に設けた複数の離脱防止用の貫通孔（１２）（１２）には、各々に支持杆（１３）（１３）を挿着する請求項２記載の欄干兼用防護柵。
【請求項４】
埋込板（５）の下部の埋込部（７）には、外周に凹弧部（１４）（１４）を設けた複数の埋込脚部（８）（８）を形成したことを特徴とする欄干兼用防護柵。
【考案の詳細な説明】
【技術分野】
【０００１】  本考案は、欄干の柵及び車両等の防護柵の各種の支柱として使用するものであって、屈曲するが破損しないガードレールで、加工費が減少することを目的とした欄干兼用防護柵に関する。
【背景技術】
【０００２】  従来この種の欄干柵及び車両等の防護柵に使用する支柱としては、一般的には、断面形状を複雑なＨ字状又はＴ字状として強固に製作されている現状である。
【考案の概要】
【考案が解決しようとする課題】
【０００３】  従来この種の欄干及び車両等の防護柵においては、欄干及びガードレール等の形状は、各種の形状に製作され、その支柱の断面形状は、多くはＨ字状又はＴ字状に製作されているために、溶接費及び材料費等の加工費が多大に掛ると云う欠点がある。
本考案は、上記従来の欠点を解決するものであって、欄干兼用防護柵を軽量化すると共に、鉄の場合は溶接個所を少なくすることが出来るようにした欄干兼用防護柵を提供するものである。
【課題を解決するための手段】
【０００４】  上記目的を達成するために、本考案の欄干兼用防護柵における防護柵本体は、各種の金属製材より形成され、垂直状態の支柱の下端に接続部を設け、該接続部には複数の螺子孔を穿設する。該接続部の螺子孔と連結するコンクリート土台に埋設する埋込板に設けた貫通孔とを螺合接続する。また、該埋込板の下部の埋込部には、貫通孔を設けた複数の埋込脚部を形成する。更に、埋込板の下部の埋込部には、外周に複数の凹弧部を設けた埋込脚部を形成してある。
【考案の効果】
【０００５】  本考案は、以上説明したように構成されているので、垂直版と支柱と、垂直版の埋込板との簡単な接続で連接してあるため、著しく軽量化出来る効果と、従来のＨ型、Ｔ型の如く、板プレートを溶接するものと比較して、溶接等の手間と材料費が掛らない優れた効果がある。更に、支柱と埋込板とを垂直に接続してあるので、衝撃の際に台座部分が屈曲する憂いがない効果がある。また、該支柱を鉄製のものではなく鋳物製とすると、通気孔を穿設する手間と材料が減少するので、安価となる効果がある。
【図面の簡単な説明】
【０００６】
【図１】  本考案の防護柵本体の一部欠除した正面図である。
【図２】  同じく本考案の支柱を取付けた全体の側面図である。
【図３】  本考案のコンクリート土台に埋込板を埋設した斜面図である。
【図４】  本考案の支柱と埋込板とを分離した状態の側面図である。
【図５】  同じく本考案の埋込板の下部に単数の埋込脚部を設けた斜面図である。
【図６】  同じく本考案の埋込板の下部に相対する複数の埋込脚部を設けた斜面図である。
【考案を実施するための形態】
【０００７】  上記の如く構成されている欄干兼用防護柵によれば、欄干等の両側に設けたコンクリート土台に対して所定間隔に埋設した埋込板に、ガードレールを所定間隔に取付けた支柱の下端の接続部をボルト、ナット等で固定し、車両及び歩行者等の安全のための役目を果すものである。
【実施例】
【０００８】  次に、本考案の実施例を図面について説明すると、図１において、防護柵本体（１）には、支柱（２）と上下２段のガードレール（３）（３）を架設した正面図を示し、該ガードレール（３）（３）の間には、各種の格子棒（図示せず）等を立設してある。また、該支柱（２）には、縦方向に数個の通気孔（９）（９）を形成すると共に、下端に接続部（４）を設けて複数の貫通された螺子孔（１０）（１０）を穿設してある。
図４において、該接続部（４）と接続するコンクリート土台（１６）に埋込まれた埋込部（７）の上部に露出する露出部（６）を設けた埋込板（５）には、螺子孔（１１）（１１）を穿設してある。
次に、該埋込板（５）には、図５に示す如く、下部の埋込部（７）に埋込みを支持する単数の埋込脚部（８）を形成し、且つ、該埋込脚部（８）には、離脱防止用の支持杆（１３）（１３）を挿着する複数の貫通孔（１２）（１２）を穿設してある。
また、図６に示すものは、上部に露出部（６）を設け、下部に埋込部（７）を設けた埋込板（５）には、該埋込部（７）に長片と短片とよりなる相対する埋込脚部（８）（８）を形成してある。該埋込脚部（８）（８）には、外周に離脱防止用の各種形状の凹弧部（１４）（１４）を各々形成してある。符号（１５）は、該埋込板（５）の露出部（６）と、該支柱（２）の下端の接続部（４）とを連接するボルト、ナットを示したものである。
【符号の説明】
【０００９】１            防護柵本体
２            支柱
３            ガードレール
４            接続部
５            埋込板
６            露出部
７            埋込部
８            埋込脚部
９            通気孔
１０、１１    螺子孔
１２          貫通孔
１３          支持杆
１４          凹弧部
１５          ボルト、ナット
１６          コンクリート土台
【図１】
0003186305.tif 000003
【図２】
0003186305.tif 000004
【図３】
0003186305.tif 000005
【図４】
0003186305.tif 000006
【図５】
0003186305.tif 000007
【図６】
0003186305.tif 000008
【手続補正書】
【提出日】平成25年7月11日(2013.7.11)
【手続補正１】
【補正対象書類名】実用新案登録請求の範囲
【補正対象項目名】請求項４
【補正方法】変更
【補正の内容】
【請求項４】
埋込板（５）の下部の埋込部（７）には、外周に凹弧部（１４）（１４）を設けた複数の埋込脚部（８）（８）を形成したことを特徴とする請求項１記載の欄干兼用防護柵。